【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
複数の通信機器の間における無線通信を制御する通信制御装置であって、
前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、
前記第１物体と前記第２物体とを結び付ける行為を識別する行為識別部と、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、
を備える、通信制御装置。
【請求項２】
前記第１物体及び前記第２物体は、それぞれカード状の物体である、
請求項１に記載の通信制御装置。
【請求項３】
前記第１物体及び前記第２物体は、タッチ操作可能な表示装置上に置かれ、
前記第１物体及び前記第２物体を結び付ける行為は、前記表示装置上で前記第１物体と前記第２物体の間をタッチ操作でつなげる行為である、
請求項２に記載の通信制御装置。
【請求項４】
前記表示装置に、前記第１通信機器及び前記第２通信機器のそれぞれの対応する無線規格に関する情報を表示させる表示制御部を更に備える、
請求項３に記載の通信制御装置。
【請求項５】
前記表示制御部は、複数の前記無線規格の各々に対応するポインタを、前記第１物体及び前記第２物体に関連付けて表示させ、
前記接続制御部は、前記第１物体と前記第２物体にそれぞれ関連付けられたポインタをタッチ操作でつなげる行為が前記行為識別部により識別されると、前記ポインタに対応する無線規格により、前記第１通信機器と前記第２通信機器を接続させる、
請求項４に記載の通信制御装置。
【請求項６】
前記第１物体及び前記第２物体は、それぞれブロック状の物体である、
請求項１に記載の通信制御装置。
【請求項７】
前記第１物体及び前記第２物体を結び付ける行為は、前記第１物体と前記第２物体をケーブルで繋げる行為である、
請求項６に記載の通信制御装置。
【請求項８】
前記第１物体及び前記第２物体には、複数の無線規格の各々に対応した複数の差込口が設けられ、
前記接続制御部は、前記ケーブルが差し込まれた差込口に対応した無線規格により、前記第１通信機器と前記第２通信機器を接続させる、
請求項７に記載の通信制御装置。
【請求項９】
前記第１通信機器と前記第２通信機器との間の無線通信の接続が完了したか否かを、表示部又は発光部で報知させる報知制御部を更に備える、
請求項１〜８のいずれか一項に記載の通信制御装置。
【請求項１０】
前記第１通信機器と前記第２通信機器が利用可能なサービス情報を、表示部又は発光部で報知させる報知制御部を更に備える、
請求項１〜９のいずれか一項に記載の通信制御装置。
【請求項１１】
互いに無線通信が可能な複数の通信機器のうちの第１通信機器に対応する第１物体から、前記第１通信機器を特定する第１特定情報を取得し、第２通信機器に対応する第２物体から、前記第２通信機器を特定する第２特定情報を取得することと、
前記第１物体と前記第２物体とを結び付ける行為を識別することと、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させることと、
を有する、通信制御方法。
【請求項１２】
コンピュータに、
互いに無線通信が可能な複数の通信機器のうちの第１通信機器に対応する第１物体から、前記第１通信機器を特定する第１特定情報を取得し、第２通信機器に対応する第２物体から、前記第２通信機器を特定する第２特定情報を取得することと、
前記第１物体と前記第２物体とを結び付ける行為を識別することと、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させることと、
を実行させるための、プログラム。
【請求項１３】
互いに無線通信が可能な複数の通信機器と、
前記複数の通信機器の各々に対応する複数の物体であって、それぞれ対応する通信機器を特定する特定情報を有する複数の物体と、
前記複数の通信機器の間における無線通信での接続を制御する通信制御装置と、
を備え、
前記通信制御装置は、
前記複数の通信機器のうちの第１通信機器に対応する第１物体から、前記第１通信機器を特定する第１特定情報を取得し、第２通信機器に対応する第２物体から、前記第２通信機器を特定する第２特定情報を取得する特定情報取得部と、
前記第１物体と前記第２物体とを結び付ける行為を識別する行為識別部と、
結び付けられた前記第１物体及び前記第２物体に対応する前記第１通信機器及び前記第２通信機器に対して、取得された前記第１特定情報と前記第２特定情報に基づき通信を行い、前記第１通信機器と前記第２通信機器とを無線通信で接続させる接続制御部と、
を有する、通信制御システム。
【手続補正２】
【補正対象書類名】明細書
【補正対象項目名】００１４
【補正方法】変更
【補正の内容】
【００１４】
なお、説明は以下の順序で行うものとする。
１．第１の実施形態
１−１．通信制御システムの概要
１−２．通信制御装置の機能構成例
１−３．無線通信の接続処理例
２．第２の実施形態
２−１．通信制御システムの概要
２−２．通信制御装置の機能構成例
２−３．無線通信の接続処理例
３．他の実施形成
４．まとめ
【手続補正３】
【補正対象書類名】明細書
【補正対象項目名】００１９
【補正方法】変更
【補正の内容】
【００１９】
通信機器１８０は、動画配信や動画受信などの様々なサービス（機能）をユーザが利用できる機器である。通信機器１８０は、BluetoothやWi-Fi等の無線規格に基づいて、無線通信を行う。第１の実施形態に係る通信機器１８０は、表示装置１１０や他の通信機器と無線通信を行う。図１では、通信機器１８０Ａ、１８０Ｂは、互いに無線通信を行ったり、表示装置１１０と無線通信を行う。
【手続補正４】
【補正対象書類名】明細書
【補正対象項目名】００３２
【補正方法】変更
【補正の内容】
【００３２】
図４は、各通信機器１８０が利用できるサービスに関する報知例を示す図である。図４では、通信機器１８０Ａは、表示ウィンドウ１１２Ａに示すように、動画配信のサービスを利用できない一方で、動画受信のサービスを利用できる。また、通信機器１８０Ｂは、表示ウィンドウ１１２Ｂに示すように、動画配信のサービス、及び静止画等のファイルのファイル交換のサービスを利用できる。通信機器１８０Ｃは、表示ウィンドウ１１２Ｃに示すように、ファイル交換のサービスを利用できる。なお、サービスに障害が発生した場合には、サービスが利用できないことが表示される。
【手続補正５】
【補正対象書類名】明細書
【補正対象項目名】００５１
【補正方法】変更
【補正の内容】
【００５１】
まず、表示装置１１０は、ユーザが２つのカード１４０のポインタ間を指でドラッグしたことにより、図３に示すように２つのポインタ間を線でつなぐ（ステップＳ１４２）。次に、表示装置１１０は、線でつないだ２つのポインタの色が異なるか否かを判定する（ステップＳ１４４）。ステップＳ１４４で２つのポインタの色が異なると判定された場合には（Ｙｅｓ）、すなわち異なる無線規格同士を繋げているので、表示装置１１０は、線の接続を解除する（ステップＳ１４６）。
【手続補正６】
【補正対象書類名】明細書
【補正対象項目名】００５２
【補正方法】変更
【補正の内容】
【００５２】
一方で、ステップＳ１４４で２つのポインタの色が同じと判定された場合には（Ｎｏ）、表示装置１１０は、ポインタに対応した無線規格での接続を、２つのポインタに対応する２つの通信機器１８０に依頼する（ステップＳ１４８）。これにより、２つの通信機器１８０は、ポインタに対応した無線規格での接続を試みる。そして、２つの通信機器１８０の間での接続中にエラーが発生し、又はタイムアウトとなった場合には（ステップＳ１５０：Ｙｅｓ）、表示装置１１０は、ユーザに報知するために、エラーやエラーアイコンを表示する（ステップＳ１５２）。
【手続補正７】
【補正対象書類名】明細書
【補正対象項目名】００６７
【補正方法】変更
【補正の内容】
【００６７】
図１２は、ブロック２１０同士をケーブルで繋げた状態を示す図である。図１２では、ブロック２１０Ａとブロック２１０Ｂが、Bluetooth対応のケーブルＣ１で繋がれ、ブロック２１０Ａとブロック２１０Ｄが、Wi-Fi対応のケーブルＣ２で繋がれ、ブロック２１０Ｃとブロック２１０Ｄが、Wi-Fi対応のケーブルＣ２で繋がれている。なお、ブロック２１０Ｄは、Wi-Fiルータ２５０に対応し、Wi-Fiルータ２５０と１対１で接続される。このように、ケーブルＣ１、Ｃ２でブロックを繋げることにより、ブロック２１０Ａとブロック２１０ＢがBluetoothで接続され、ブロック２１０Ｄとブロック２１０Ａ、２１０ＣがWi-Fiで接続される。
【手続補正８】
【補正対象書類名】明細書
【補正対象項目名】００８２
【補正方法】変更
【補正の内容】
【００８２】
そして、ケーブルを接続している差込口が通信機器２４０の対応していない無線規格である場合には（ステップＳ２４４：Ｎｏ）、ブロック２１０は、エラーを表示する（ステップＳ２５４）。一方で、ステップＳ２４４で通信機器２４０が対応している無線規格である場合には（Ｙｅｓ）、ブロック２１０は、通信機器２４０同士が接続を行う無線規格を決定する（ステップＳ２４６）。次に、ブロック２１０は、対応する通信機器２４０に対して、決定した無線規格での接続を依頼する（ステップＳ２４８）。
【手続補正９】
【補正対象書類名】図面
【補正対象項目名】図４
【補正方法】変更
【補正の内容】
【図４】
2014010608.tif 000001